(57)【要約】【課題】歩行用のパイプ義足の膝関節を追加する事で、より義足としての機能を高める必要条件が備わった、実際の問題としてこの事は非常に難しく、車への同乗は難しかった、足を曲げる事が困難さを極めた。【解決手段】元の出願は、平成１３年−２０１４−１７２６８８の出願番号であるが、名称を歩行用のパイプ義足と名付けた、旋回する中心部分にローラーを使う事で屈折を可能にした、継手としての役目を持たせたものである、他に人体の一部としての機能を果たすものが無く、他に考慮の余地も無く苦しい選択であったが何とか機能するものに成った、主体が円盤状の外装で囲われ、中央部にローラー状の抑止ドラムを配した、ロック機能であり足の屈折に非常に効力を持つ、後に図１〜図２にて説明し特徴を補足した。【選択図】図１
2015029897.tif 000002
【特許請求の範囲】
【請求項１】
パイプを１ｍ前後に切断し中央部にＳ状曲げを設け少し上部に台座と成るＬ型金具と、この台座上部にプレートを乗せて基台と成す大腿部を受ける為の構成、次に幅広バンドを取り付ける、少し上部へ進んでパイプを内側方向に曲げてモーメントを解消する、さらにパイプ上端を圧接して腰バンドと連結するＳ状金具を取り付けた、さらにパイプ最下端にスリップ防止のゴムを設けた特許請求の範囲第一項記載の歩行用パイプの義足。
【発明の詳細な説明】
【技術分野】
【０００１】  大腿部より切断された足の代用に使用すべきパイプの義足である。
【背景技術】
【０００２】  従来シリコン製の義足は作られていたが、様々な欠点があり、また製造においてもかなり難しいという不満、他多くの難題があり製造コスト等の問題も発生していた、また製造における微調整等かなりの正確さが要求され製作者の神経に絶妙さを与えた。
【先行技術文献】
【特許文献】
【特許文献１】昭和５９年−２３０５５１号広報    アームの中央部付近に設けた弾性系合体を調整可能な箇体頂壁に設けた位置調整可能なストッパにした義足の継続手とする発明である。【０００４】  強いて言えば靴の安定、特に向が気に成る、又、継手が当発明の主軸と成っているが、固着されているので腰の湾曲に対応出来難くはないのか、本発明は義足の継手ばかりでなく、足全体を補う為のもので技術を開示した、取り付けから足元まで５つの形態で、それぞれ特徴を持たせ、機能的な形態に成っている違いがある。
【発明の概要】
【発明が解決しようとする課題】
【０００５】  本発明は突然失った大切な大腿部の代わりに機能する重要な役目を担う義足であるということから、複雑な動作を復活させるものであることに間違いない。最大の利点として足の代用を考えたのである、腰から下の運動の変化を受け持つには難しさが要求される。腰部は大きく変化をし曲げ伸ばし身体の重心の変化を忠実に受け止める、また大腿部と脹脛の筋肉の動きで体の姿勢を保つ役目等の動きをも必要にしている。普段気付かない動きであるが故障すると体は動かないのである、この様に機能を受け持つことが必要であり完璧さを求めるのが非常に難しいのである、精変は落ちるが近づけなくてはいけない。また腰から足首までわずかに曲がっているので湾曲も必要である、本品の素材は様々な材料で構成することが出来るが、本品はパイプ材で構成した。背丈にしたがって長さは幾らか変化するが、大体１ｍ前後であり、パイプ中央付近をＳ状に曲げ切断された足の重心を受け止めて歩行を可能ならしめる。
【課題を解決するための手段】
【０００６】  パイプを１ｍ前後に切断し中央部にＳ状曲げを設け少し上部に台座と成るＬ型金具と、この台座上部にプレートを乗せて基台と成す大腿部を受ける為の構成、次に幅広バンドを取り付ける、少し上部へ進んでパイプを内側方向に曲げてモーメントを解消する、さらにパイプ上端を圧接して腰バンドと連結するＳ状金具を取り付けた、さらにパイプ最下端にスリップ防止のゴムを設けた特許請求の範囲第一項記載の歩行用パイプの義足。
【発明の効果】
【０００７】  まず効果として数々の利点がある、製品において重要なことは設計の簡易さ・誤差のなさ・強度の設計の明確さ等、従来の技術との比較が易しい。よって製造コストの安さ・製品の安価なこと等があげられ、また従来の熟練工が少なくて製作可能でありコストも下がり、材料も扱いやすく大きな力は不要であり、したがって女子にでも製造でき得る。
【図面の簡単な説明】
【０００８】
【図１】は本体斜視図である
【図２】はパイプの曲げ加工例である
【図３】は最上部の取り付け例である（横面図）
【図４】はバンドの詳細図である
【図５】は台座の上のクッションの詳細図である
【発明を実施するための形態】
【０００９】  本発明を実施する為には、まず強靭なパイプ材で腰の高さの切断材とする必要がある。短くても長くても不向きであるので寸法を設定する。そうして次にパイプの中央部付近にＳ状の形に曲線状部を形成する、これは切断した大腿部の中心を出す為に設けるもので体の重心を出す事から必要で、こうするとパイプにΔｍｆとして慣性モーメントが発生するが、このモーメントΔｍｆは不要でありパイプが廻転する原因と成る。したがってこのΔｍｆモーメントを消去する必要がある。Δｍｆが発生するとパイプに回転力が生まれ砂利道等で転倒の恐れがあるからに他成らない。次にＳ状湾曲部のすぐ下にＬ金具をビス止めにして大腿部を受け支える。この上部に円錐球のすべり防止を取り付け金具から脱落するのを防止する、この下部最下部にすべり形のゴムを差し込む、そのうえで最上部に移りＳ状に屈曲した金具を取り付けるが、この金具の強度は余り必要ではなく薄い金属でよい。座ったり立ったりする時に、切断部の先端が振れる様にビス止めにしてフリーの状態に締め付ければよい、そうした後大腿部に移り締め付けバンドをビス止めする、大腿部を強く締め付け足を強く取り付ける為である。最後に体の胴部にコルセットをはめ、中央部分にバンドを付けパイプを保持するバックル様の金具を付け、フリー回転のボルトで止め次にパイプの下がりを防ぐベイヒモで吊るす、このように対策をした。
【００１０】  手段として、まず大腿部を強固に固定し外れない様にすると同時に筋肉の動きを確実にキャッチすることが大事である。それと同時に大腿部が下へ落ちることを防ぐ為にブラケットが必要である。大腿部の重心を出すＳ状の湾曲部が必要であり、ここで発生するΔｍｆという慣性モーメントを打ち消す為のパイプ全体の緩やかな湾曲が必要であるが、回転モーメントを打ち消す動きをする作用を持つ、こうして大方体の動きを担うが完璧な動きが不可能であり徐々に研究の余地を残しているのが実情である、特許要件こうして具備つまり発明として、自然の法則を取り入れることも必要としているために活用した。
【実施例】
【００１１】  以上説明の様に、微妙な調整もなくして第一作を実験にこぎつけた、欲を言えばパイプが屈曲すようにし、パイプ下段に軽い曲部をつけてみたい坂道での抵抗を減少する方策が必要と考える。登り坂下り坂の違いを平均化したい、また両足に使用出来るのも特徴である。【００１２】  また登り下りの時の転倒ショックをスプリングで吸収する所を一箇所設けたい。
【産業上の利用可能性】
【００１３】  製造者は元より障害者の皆様に有効的にご利用して頂き活性化に貢献したい、両足に付け換えれることが利点である。
【符号の説明】
【００１４】１．パイプ
２．連結部（Ｓ状に曲げ）
３．湾曲部（Ｓ状の湾曲部）
４．帯状バンド
５．バックル
６．台座
７．板
８．滑り止め保持部
９．スプリングかゴム
１０．大腿部締めバンド
１１．風対策（ズボンの乱れ防止）
１２．パイプスリップ防止
１３．パイプ吊りゴムかスプリング
１４．緩衝部材
１５．クッション
１６．腰バンド
１７．キャンパー（スポンジ）
１８．かしめ（カシメ）
１９．面テープ
２０．ブラケット
２１．吊り紐
【図１】
2015029897.tif 000003
【図２】
2015029897.tif 000004
【図３】
2015029897.tif 000005
【図４】
2015029897.tif 000006
【図５】
2015029897.tif 000007
【手続補正書】
【提出日】平成26年7月3日(2014.7.3)
【手続補正１】
【補正対象書類名】特許請求の範囲
【補正対象項目名】全文
【補正方法】変更
【補正の内容】
【特許請求の範囲】
【請求項１】
パイプの中央部に設けられたＳ状曲げ部分と、前記パイプの前記Ｓ状曲げ部分の上部に設けられた台座と成るＬ型金具と、前記台座の上部にプレートを乗せて基台と成す大腿部を受ける為の構成と、前記構成の上部の前記パイプに設けられたモーメントを解消するための内側方向曲げ部分と、前記パイプの上端を圧接して腰バンドと連結するＳ型金具と、前記パイプの最下端に設けられたスリップ帽子のゴムとを有する歩行用パイプの義足。
【請求項２】
内側ドラムの外周の１陽に設け、ドラムがゆっくりと回転を始めると制動、これに支ない制動ブラシも回転を始める、前記ブラシは本体の最下部のパイプが上部へ達する手前で、抵抗が最大になり最後部に達するとストッパーの突起に制止され停まる、内側ドラムの下部に設けられたロック用穴は外側ドラム下部にあり、義足の使用に際して穴にピンを差込んで内側ドラムをロックする、特許請求第一項記載のパイプ義足の継手。
【手続補正２】
【補正対象書類名】明細書
【補正対象項目名】全文
【補正方法】変更
【補正の内容】
【発明の詳細な説明】
【技術分野】
【０００１】  大腿部より切断された足の代用に使用すべきパイプの義足である。
【背景技術】
【０００２】  従来シリコン製の義足は作られていたが、様々な欠点があり、また製造においてもかなり難しいという不満、他多くの難題があり製造コスト等の問題も発生していた、また製造における微調整等かなりの正確さが要求され製作者の神経に絶妙さを与えた。
【特許文献１】  前記の文献、昭和５９年出願ではパイプが使用されていたが、継手とのことであり、本発明２０１２−２０１４とは異なっていて、様々な違いが見立った。
【０００５】
【特許文献２】  他、ウレタンゴム等の長靴状の義足が出現した。
【０００６】  上述の形状のゴム長では、長時間の使用が気に成り、他、大腿部との固定の状態の不具合が気に成る。
【課題を解決するための手段】
【０００７】  本義足の継手の構成の主体は、中央部のドラムつまり外側のドラムであり、義足の上方向に伸びたパイプに差し込まれる短パイプを継ぐパイプ３。
【０００８】  内側中央のパイプに勘合されたパイプ４がロックピン、［図４］の７番を外すと上方向へ移動出来る仕組みに成り、角度を変化させる。
【０００９】  中央ローラー１２を中心部で保持するピン１１で固定している。
【００１０】  上記のピンは脱落を防ぐ為に強度があるピンにすることが寛容である。
【００１１】  上記述のピンが手動で可動するが、可動に伴なって上部方向の角度を変化させる。
【００１２】  内側ドラムの外周の一隔に固定した可動ブラシが回転に伴なうギャップの狭まりで、一段と強力に圧編を初め、最終的にはロック状態と成る。
【００１３】  旋回と同時に内側パイプと外側パイプの間隔が狭く成る、原理は何か、これは内側のパイプの中心が僅かに偏心に構成されていることに因る。
【００１４】  一部の固定は６の時点でネジで固定してパイプを締め付ける。
【００１５】  ７は側方を開放した場合に、内側のローラーを固定する時に必要な外枠である。
【００１６】  各締付けのビス止めの位置は図に因よらなくても良い物とする。
【００１７】  ８は中央部のローラーが外枠との偏心のズレで中央に位置しない物、ブレーキの役目を果たすスベリ止めである。
【００１８】  上記のゴムが重要な点は、軽い外（ブタ）のスベリを止めることの危険防止である。
【００１９】  上記の手段で果たすことが効果で現れるが、特に明記すれば目的とも成り、それぞれのパーツに結びつくものである。
【００２０】  特にブレーキの役目を果たす中央部のロック機能が本継手の主体と成っている。
【図面の簡単な説明】
【００２１】
【図１】機構のパイプ中央部付近の継手場所付近を示す図である。
【図２】継手内部省略である。
【図３】出願のパイプ義足の継手の概略図である。
【図４】機構の内部斜視図である。
【図５】機構のケースカバーの片側の図である。（右側）
【図６】折りたたみの図である。
【発明を実施するための形態】
【００２２】  以上の効果で実施を現実に行え得るが、パイプ義足の重要性を増幅させ得ることが最大の特徴と成る。
【００２３】  各部の役目に応じた機能が一体と成り義足を義足と呼べる相応しいものとしている。
【符号の説明】１．外蓋
２．シャフト
３．上側のパイプ
４．下側のパイプ
５．本願継手箇所
６．ロックネジ（ピン）
７．中央ローラを固定するもの（ロックピン）
８．ロック穴
９．Ｓ状カーブ
１０．シャフト止めペアリング
１１．スリップ防止ゴム
１２．中央ローラー
１３．ケース止めネジ穴
１４．サイドケース
１．パイプ
２．連結部（Ｓ状に曲げ）
３．湾曲部（Ｓ状の湾曲部）
４．帯状バンド
５．バックル
６．台座
７．板
８．滑り止め保持部
９．スプリングかゴム
１０．大腿部締めバンド
１１．風対策（ズボンの乱れ防止）
１２．パイプスリップ防止
１３．パイプ吊りゴムかスプリング
１４．緩衝部材
１５．クッション
１６．腰バンド
１７．キャンパー（スポンジ）
１８．かしめ（カシメ）
１９．面テープ
２０．ブラケット
２１．吊り紐
【手続補正書】
【提出日】平成26年9月4日(2014.9.4)
【手続補正１】
【補正対象書類名】手続補正書
【補正対象項目名】手続補正２
【補正方法】変更
【補正の内容】
【手続補正２】
【補正対象書類名】明細書
【補正対象項目名】全文
【補正方法】変更
【補正の内容】
【発明の詳細な説明】
【技術分野】
【０００１】  大腿部より切断された足の代用に使用すべきパイプの義足である。
【背景技術】
【０００２】  従来シリコン製の義足は作られていたが、様々な欠点があり、また製造においてもかなり難しいという不満、他多くの難題があり製造コスト等の問題も発生していた、また製造における微調整等かなりの正確さが要求され製作者の神経に絶妙さを与えた。
【特許文献１】前記の文献、昭和５９年出願ではパイプが使用されていたが、継手とのことであり、発明２０１２−２０１４とは異なっていて、様々な違いが見立った。
【０００４】  強いて言えば靴の安定、特に向が気に成る、又、継手が当発明の主軸と成っているが、固着されているので腰の湾曲に対応出来難くはないのか、本発明は義足の継手ばかりでなく、足全体を補う為のもので技術を開示した、取り付けから足元まで５つの形態で、それぞれ特徴を持たせ、機能的な形態に成っている違いがある。【０００５】
【特許文献２】他、ウレタンゴム等の長靴状の義足が出現した。
【０００６】  上記の形状のゴム長では、長時間の仕様が気に成り、他、大腿部との固定の状態の不具合が気に成る。
【課題を解決するための手段】
【０００７】  本義足の継手の構成の主体は、中央部のドラムつまり外側のドラムであり、義足の上方向に伸びたパイプに差し込まれる短パイプを継ぐパイプ３。
【０００８】  内側中央部のパイプに勘合されたパイプ４がロックピン、［図４］の７番を外すと上方向へ移動出来る仕組みに成り、角度を変化させる。
【発明を実施するための形態】
【０００９】  中央ローラー１２を中心部で保持するピン１１で固定している。
【００１０】  上記のピンは脱落を防ぐ為に強度があるピンにすることが寛容である。
【００１１】  上記述のピンが手動で可動するが、可動に伴なって上部方向の角度を変化させる。
【００１２】  内側ドラムの外周の一隔に固定した可動ブラシが回転に伴なうギャップの挟まりで、一段と強力に圧編を初め、最終的にはロック状態と成る。
【００１３】  旋回と同時に内側パイプと外側パイプの間隔が狭く成る、原理は何か、これは内側のパイプの中心が僅かに偏心に構成されていることに因る。
【００１４】  一部の固定は６の時点でネジで固定してパイプを締め付ける。
【００１５】  ７は側方を開放した場合に、内側のローラーを固定する時に必要な外枠である。
【００１６】  各締付けのビス止めの位置は図に因らなくても良い物とする。
【００１７】  ８は中央部のローラーが外枠との偏心のズレで中央に位置しない物、ブレーキの役目を果たすスベリ止めである。
【００１８】  上記のゴムが重要な点は、軽い外（ブタ）のスベリを止めることの危険防止である。
【００１９】  上記の手段で果たすことが効果で現れるが、特に明記すれば目的とも成り、それぞれのパーツに結びつくものである。
【００２０】  特にブレーキの役割を果たす中央部のロック機能が本継手の主体と成っている。
【図面の簡単な説明】
【００２１】
【図１】本体斜視図である
【図２】パイプの曲げ加工例である
【図３】最上部の取り付け例である（横面図）
【図４】バンドの詳細図である
【図５】台座の上のクッションの詳細図である
【発明を実施するための形態】
【００２２】  以上の効果で実施を実現に行え得るが、パイプ義足の重要性を増幅させ得ることが最大の特徴と成る。
【００２３】  各部の役目に応じた機能が一体と成り義足を義足と呼べる相応しいものとしている。
【符号の説明】
【００２４】１．パイプ
２．連結部（Ｓ状に曲げ）
３．湾曲部（Ｓ状の湾曲部）
４．帯状バンド
５．バックル
６．台座
７．板
８．滑り止め保持部
９．スプリングかゴム
１０．大腿部締めバンド
１１．風対策（ズボンの乱れ防止）
１２．パイプスリップ防止
１３．パイプ吊りゴムかスプリング
１４．緩衝部材
１５．クッション
１６．腰バンド
１７．キャンパー（スポンジ）
１８．かしめ（カシメ）
１９．面テープ
２０．ブラケット
２１．吊り紐